【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
ジャックを有するジャックデバイスの前記ジャックに挿入される多極プラグと、
物理量を電気信号に変換、又は、電気信号を物理量に変換する変換部と、
前記ジャックデバイスが、前記変換部に入出力される前記電気信号を多重化した多重化データを扱うことができる対応デバイスであるかどうかを検出する検出部と、
前記ジャックデバイスが前記対応デバイスである場合に、前記多重化データを、前記多極プラグの所定の端子を介して送信又は受信する送受信処理部と、
前記多極プラグの前記所定の端子以外の端子の電気的な機能の割り当てを行う機能切り替え部と
を備えるペリフェラルデバイス。
【請求項２】
前記機能切り替え部は、前記対応デバイスに基づいて、前記所定の端子以外の端子の電気的な機能の割り当てを行う
請求項１に記載のペリフェラルデバイス。
【請求項３】
前記機能切り替え部は、前記対応デバイスに関するデバイス情報に基づいて、前記所定の端子以外の端子の電気的な機能の割り当てを行う
請求項２に記載のペリフェラルデバイス。
【請求項４】
前記デバイス情報は、前記送受信処理部が受信する、前記対応デバイスからの多重化データに含まれる
請求項３に記載のペリフェラルデバイス。
【請求項５】
前記多極プラグは、単頭プラグである
請求項１から４のいずれかに記載のペリフェラルデバイス。
【請求項６】
前記所定の端子は、前記多極プラグの最も根元側の端子である
請求項１から５のいずれかに記載のペリフェラルデバイス。
【請求項７】
前記機能切り替え部は、複数の機能の中から、前記所定の端子以外の端子に割り当てる電気的な機能を選択する
請求項１から６のいずれかに記載のペリフェラルデバイス。
【請求項８】
前記機能切り替え部が前記所定の端子以外の端子に割り当てる電気的な機能には、電源を授受する機能が含まれる
請求項１から７のいずれかに記載のペリフェラルデバイス。
【請求項９】
前記所定の端子以外の1個の端子に、電源を授受する機能が割り当てられ、前記1個の端子から、前記対応デバイスに、電源となる電力が供給される場合において、
前記所定の端子を介しての前記多重化データの通信状態に応じて、前記電源となる電力の供給を制御する
請求項８に記載のペリフェラルデバイス。
【請求項１０】
ジャックを有するジャックデバイスの前記ジャックに挿入される多極プラグと、
物理量を電気信号に変換、又は、電気信号を物理量に変換する変換部と、
前記ジャックデバイスが、前記変換部に入出力される前記電気信号を多重化した多重化データを扱うことができる対応デバイスであるかどうかを検出する検出部と、
前記ジャックデバイスが前記対応デバイスである場合に、前記多重化データを、前記多極プラグの所定の端子を介して送信又は受信する送受信処理部と
を備えるペリフェラルデバイスが、
前記多極プラグの前記所定の端子以外の端子の電気的な機能の割り当てを行う
ステップを含むペリフェラルデバイスの処理方法。
【請求項１１】
多極プラグを有するプラグデバイスの前記多極プラグが挿入される多極ジャックと、
前記プラグデバイスが、物理量を電気信号に変換、又は、電気信号を物理量に変換する変換部に入出力される前記電気信号を多重化した多重化データを扱うことができる対応デバイスであるかどうかを検出する検出部と、
前記プラグデバイスが前記対応デバイスである場合に、前記多重化データを、前記多極ジャックの所定の端子を介して送信又は受信する送受信処理部と
前記多極ジャックの前記所定の端子以外の端子の電気的な機能の割り当てを行う機能切り替え部と
を備えるホストデバイス。
【請求項１２】
前記機能切り替え部は、前記対応デバイスに基づいて、前記所定の端子以外の端子の電気的な機能の割り当てを行う
請求項１１に記載のホストデバイス。
【請求項１３】
前記機能切り替え部は、前記対応デバイスに関するデバイス情報に基づいて、前記所定の端子以外の端子の電気的な機能の割り当てを行う
請求項１２に記載のホストデバイス。
【請求項１４】
前記デバイス情報は、前記送受信処理部が受信する、前記対応デバイスからの多重化データに含まれる
請求項１３に記載のホストデバイス。
【請求項１５】
前記多極ジャックは、単頭プラグが挿入される単頭ジャックである
請求項１１から１４のいずれかに記載のホストデバイス。
【請求項１６】
前記所定の端子は、前記多極ジャックの最も挿入口側の端子である
請求項１１から１５のいずれかに記載のホストデバイス。
【請求項１７】
前記機能切り替え部は、複数の機能の中から、前記所定の端子以外の端子に割り当てる電気的な機能を選択する
請求項１１から１６のいずれかに記載のホストデバイス。
【請求項１８】
前記機能切り替え部が前記所定の端子以外の端子に割り当てる電気的な機能には、電源を授受する機能が含まれる
請求項１１から１７のいずれかに記載のホストデバイス。
【請求項１９】
前記所定の端子以外の1個の端子に、電源を授受する機能が割り当てられ、前記1個の端子から、前記対応デバイスに、電源となる電力が供給される場合において、
前記所定の端子を介しての前記多重化データの通信状態に応じて、前記電源となる電力の供給を制御する
請求項１８に記載のホストデバイス。
【請求項２０】
多極プラグを有するプラグデバイスの前記多極プラグが挿入される多極ジャックと、
前記プラグデバイスが、物理量を電気信号に変換、又は、電気信号を物理量に変換する変換部に入出力される前記電気信号を多重化した多重化データを扱うことができる対応デバイスであるかどうかを検出する検出部と、
前記プラグデバイスが前記対応デバイスである場合に、前記多重化データを、前記多極ジャックの所定の端子を介して送信又は受信する送受信処理部と
を備えるホストデバイスが、
前記多極ジャックの前記所定の端子以外の端子の電気的な機能の割り当てを行う
ステップを含むホストデバイスの処理方法。
【手続補正２】
【補正対象書類名】明細書
【補正対象項目名】００９６
【補正方法】変更
【補正の内容】
【００９６】
送受信処理部１３と２３との間でやりとりされる多重化データには、記憶部１７に記憶されたホストデバイス１０のデバイス情報や、記憶部２７に記憶されたペリフェラルデバイス２０のデバイス情報、ホストデバイス１０からペリフェラルデバイス２０へのコマンド、I/F２８ｒが出力するディジタル信号、I/F２８ｒに供給（入力）されるディジタル信号等を含めることができる。
【手続補正３】
【補正対象書類名】明細書
【補正対象項目名】０１６６
【補正方法】変更
【補正の内容】
【０１６６】
また、機能ブロック１６２は、例えば、上述したアナログ音響入力機能を有する。したがって、機能ブロック１６２は、例えば、抵抗でプルアップされた信号線であって、かつ、一端が機能切り替え部１５に接続され、他端が信号処理部１８に接続された信号線を有し、機能切り替え部１５側から供給されるアナログの音響信号を、プルアップされた信号線を介して、信号処理部１８に供給（伝送）する。
【手続補正４】
【補正対象書類名】明細書
【補正対象項目名】０２１８
【補正方法】変更
【補正の内容】
【０２１８】
これにより、同一の機能xを有する機能ブロック１６ｋ及び２６ｌどうしが、機能切り替え部１５、ジャック１１の割り当て端子J#n、プラグ２１の割り当て端子P#n、及び、機能切り替え部２５を介して接続され、機能xが提供される。
【手続補正５】
【補正対象書類名】明細書
【補正対象項目名】０２２６
【補正方法】変更
【補正の内容】
【０２２６】
この場合、ペリフェラルデバイス２０では、ホストデバイス１０と同様に、アナログ音響出力機能、アナログ音響入力機能、及び、機能aないしcから、アナログ音響出力機能、及び、アナログ音響入力機能の2個の機能が、割り当て機能として選択されるとともに、プラグ２１の端子P3及びP4が、割り当て端子として選択され、アナログ音響出力機能が、割り当て端子P3に割り当てられるとともに、アナログ音響入力機能が、割り当て端子P4に割り当てられる。
【手続補正６】
【補正対象書類名】明細書
【補正対象項目名】０２３４
【補正方法】変更
【補正の内容】
【０２３４】
ここで、図３のペリフェラルデバイス２０では、ディジタルマイク部２８１で環境音を集音し、その環境音に対応するディジタルの音響信号を、多重化データに含めて、ペリフェラルデバイス２０の送受信処理部２３から、ホストデバイス１０の送受信処理部１３に送信することができる。この場合、ホストデバイス１０では、多重化データに含まれる環境音に対応するディジタルの音響信号が、送受信処理部１３から信号処理部１８に供給される。
【手続補正７】
【補正対象書類名】明細書
【補正対象項目名】０２５８
【補正方法】変更
【補正の内容】
【０２５８】
以上により、対応デバイスでない既存のスマートフォンの4極のジャックに、プラグ２１が挿入された場合に、4極のジャックを有する既存のスマートフォンに、機能ブロック２６２で集音された音響に対応する音響信号を入力（供給）し、処理することができる。
【手続補正８】
【補正対象書類名】明細書
【補正対象項目名】０２８４
【補正方法】変更
【補正の内容】
【０２８４】
さらに、図５のペリフェラルデバイス２０は、機能ブロック２６１ないし２６３が、プラグ２１の端子P3ないしP5に、それぞれ、固定的に接続されている点で、機能ブロック２６１ないし２６３それぞれを接続するプラグ２１の端子P#nを切り替えることができる図３の場合と相違する。
【手続補正９】
【補正対象書類名】明細書
【補正対象項目名】０２９７
【補正方法】変更
【補正の内容】
【０２９７】
その結果、ペリフェラルデバイス２０のアナログ音響出力機能を有する機能ブロック２６１とホストデバイス１０のアナログ音響出力機能を有する機能ブロック１６１、ペリフェラルデバイス２０のアナログ音響入力機能を有する機能ブロック２６２とホストデバイス１０のアナログ音響入力機能を有する機能ブロック１６２、及び、ペリフェラルデバイス２０の機能aを有する機能ブロック２６３とホストデバイス１０の機能aを有する機能ブロック１６３が、機能切り替え部１５、ジャック１１、及び、プラグ２１を介して、それぞれ接続され、これにより、アナログ音響出力機能、アナログ音響入力機能、及び、機能aが提供される。
【手続補正１０】
【補正対象書類名】明細書
【補正対象項目名】０３９３
【補正方法】変更
【補正の内容】
【０３９３】
図１２のＢでは、端子J1とP1との接続だけが切断され、他の端子J2ないしJ5と端子P2ないしP5とのそれぞれの接続は、維持されている。したがって、ジャック１１の電源供給端子J3と、プラグ２１の電源受け取り端子P3とは接続されており、電源供給端子J3からは、電力を供給すべき電源受け取り端子P3に、電源としての電力が供給される。
【手続補正１１】
【補正対象書類名】明細書
【補正対象項目名】０３９９
【補正方法】変更
【補正の内容】
【０３９９】
なお、図１２のＣでは、図１２のＢと同様に、端子J2ないしJ5と端子P2ないしP5とのそれぞれの接続は維持されている。したがって、ジャック１１の電源供給端子J3と、プラグ２１の電源受け取り端子P3とは接続されている。
【手続補正１２】
【補正対象書類名】明細書
【補正対象項目名】０４１６
【補正方法】変更
【補正の内容】
【０４１６】
図１３では、ジャック１１に、端子J1ないしJ5とは別に、プラグ２１が完挿状態（完挿状態に近い状態を含む）であるときに、プラグ２１に接触することで、プラグ（の挿抜）を検出する、独立した検出機構が設けられている。
【手続補正１３】
【補正対象書類名】明細書
【補正対象項目名】０４５２
【補正方法】変更
【補正の内容】
【０４５２】
図１５のＢでは、端子J1とP1との接続だけが切断され、他の端子J2ないしJ5と端子P2ないしP5とのそれぞれの接続は、まだ維持されている。したがって、ジャック１１の電源受け取り端子J3と、プラグ２１の電源供給端子P3とは接続されており、電源供給端子P3からは、電力を供給すべき電源受け取り端子J3に、電源としての電力が供給される。
【手続補正１４】
【補正対象書類名】明細書
【補正対象項目名】０４６０
【補正方法】変更
【補正の内容】
【０４６０】
なお、図１５のＣでは、図１５のＢと同様に、端子J2ないしJ5と端子P2ないしP5とのそれぞれの接続は維持されている。したがって、ジャック１１の電源受け取り端子J3と、プラグ２１の電源供給端子P3とは接続されている。
【手続補正１５】
【補正対象書類名】明細書
【補正対象項目名】０１７８
【補正方法】削除
【補正の内容】
【手続補正１６】
【補正対象書類名】図面
【補正対象項目名】図１８
【補正方法】変更
【補正の内容】
【図１８】
2015204166.tif 000001